(57)【要約】【課題】  どの列の板材も、その幅方向に反らない。【解決手段】  板材の長手方向１８を同じ向きに揃えて、この板材の複数枚を上下方向に積み重ねた束をダンボール紙２４で覆ってユニット８を形成し、このユニット８を上下方向に積み上げることにより列３を形成し、この列３を幅方向２０に並べて複数列を形成する板材の保管運搬方法であって、板材の束を覆うダンボール紙２４は、少なくとも束の長手方向に沿う側面１２を覆うとともに、この側面１２に対応する部分が外方に膨らむ凸起２６を有し、列３同士を隣接させたときに、この凸起２６の先端同士が当接し、列３同士の間に周囲空気の出入りが可能な空間３０が形成される。【選択図】              図１
2005145520.tif 000002
【特許請求の範囲】
【請求項１】
板材の長手方向を同じ向きに揃えて該板材の複数枚を上下方向に積み重ねた束を梱包材で覆ってユニットを形成し、該ユニットを上下方向に積み上げることにより列を形成し、該列を前記長手方向と直交する方向に並べて複数列を形成する板材の保管運搬方法であって、前記板材の束を覆う梱包材は、少なくとも前記束の長手方向に沿う側面を覆うとともに該側面に対応する部分に外方に膨らむ凸起を有し、前記列同士を隣接させたときに、該凸起の先端同士が当接し、前記列同士の間に周囲の空気の出入りが可能な空間が形成されてなる板材の保管運搬方法。
【発明の詳細な説明】
【技術分野】
【０００１】
本発明は、木質系板材の保管運搬方法に係り、特に床板、壁板、天井板などの木質系板材の保管運搬方法に関する。
【背景技術】
【０００２】
床板、壁板、天井板などの木質系板材は、一般的にできるだけ反りのないことが好ましい。特に、板材の幅方向に反りがあると、これら反りのある板材を互いに平行に並べて張るときに、板材同士が互いに干渉し合い、長手方向全長に渡って密着しないので、床、壁、天井などの板材として使用することができない。板材の反りは、その製作過程において発生することもあるが、品質検査に合格した板材であっても、その置かれる環境、たとえば梅雨などの多湿のときであって、その後の不用意な保管、運搬または取り扱いなどによって反りを新たに発生させることがある。
【０００３】
従来の板材の保管方法の一例として、たとえば図６に示すような保管方法がある。この保管方法は、板材を数枚、その長手方向１８を同じ向きに揃えて積み重ねた束をダンボール紙で覆ってユニット８を形成し、さらにこのユニット８を複数上下方向に数段積み上げることにより列３を形成し、長手方向１８と直交する幅方向２０に並べて複数列を形成してブロック１とするものである。
【発明の開示】
【発明が解決しようとする課題】
【０００４】
しかしながら、上記従来の板材の保管方法は、列３の長手方向に沿う外側側面５が周囲の空気（周囲空気）に触れているので、外側側面５が内側側面６に比べて周囲空気の影響を受け易い。板材の製造された当初の含水率が低い状態で外側側面５が周囲空気に触れると、外側側面５は周囲空気に含まれている水分を吸い込む。外側側面５が水分を吸い込むと板材の外側の含水率（平衡含水率）が内側の含水率に比べ高くなる。板材の外側の含水率が高くなると、図７に２点鎖線で示すように、最外側列の板材（床板）１６はその幅方向２０に円弧状に、かつ板材１６の中央が外方に凸となるように反る。
【０００５】
反対に、板材の製造された当初の含水率が高い状態で外側側面５が周囲空気に触れると、外側側面５に含まれている水分は周囲空気中に放出される。外側側面５から水分が放出されると板材の外側の含水率（平衡含水率）が内側の含水率に比べ低くなる。板材の外側の含水率が低くなると、上記図７に示した反り方向と反対の方向に、すなわち、最外側列の板材１６はその幅方向２０に円弧状に、かつ板材１６の中央が内方に凹むように反る。
【０００６】
板材の幅方向片側の含水率が変化することによる反りの程度としては、板材の長さがたとえば１８００ｍｍの場合、円弧の弦に対する中央部分の高さが数ｍｍである。このように反った板材１６は、互いに平行に並べて張るときに、板材１６の雄実（または雌実）と雌実（または雄実）が合わなくなるので、床材や壁材などに使えない。
【０００７】
本発明の課題は、どの列の板材も、その幅方向に反らないことである。
【課題を解決するための手段】
【０００８】
上記課題を解決するため本発明は、板材の長手方向を同じ向きに揃えて該板材の複数枚を上下方向に積み重ねた束を梱包材で覆ってユニットを形成し、該ユニットを上下方向に積み上げることにより列を形成し、該列を前記長手方向と直交する方向に並べて複数列を形成する板材の保管運搬方法であって、前記板材の束を覆う梱包材は、少なくとも前記束の長手方向に沿う側面を覆うとともに該側面に対応する部分に外方に膨らむ凸起を有し、前記列同士を隣接させたときに、該凸起の先端同士が当接し、前記列同士の間に周囲の空気の出入りが可能な空間が形成されてなることを特徴とする。
【０００９】
このようにすることにより、ユニットの束を覆う梱包材は、少なくとも束の長手方向に沿う側面を覆うとともに、この側面に対応する部分に外方に膨らむ凸起を有するので、ユニット同士を隣接させて平行に並べるとき、梱包材の凸起の先端同士が当接する。梱包材の凸起の先端同士が当接することにより、ユニット同士の間に空間が形成される。この空間は、周囲の空気の出入りが可能であるので、各ユニットの側面は周囲の空気に略均等に触れる。
【００１０】
各ユニットの側面が周囲の空気に略均等に触れると、各ユニットの梱包材側面は周囲空気からの水分を吸収、または周囲空気に水分を放出する。したがって、板材の長手方向に沿う両木口においてもユニットの梱包材側面を介して周囲の空気からの水分を吸収、または周囲空気に水分を放出するので板材の幅方向左右の含水率は略等しくなり、幅方向のどちらの側にも反ることがなくなる。
【００１１】
次に本発明を構成する各要件についてさらに詳しく説明する。本発明は、板材の保管、運搬、輸送または取り扱いの方法に関するものである。板材は、住宅や一般建物などの床板、壁板、天井板などの木質系材料で、広葉樹や針葉樹の合板または集成材、単板積層板、パーティクルボード、木質繊維板（ＭＤＦなど）などである。
【００１２】
ユニットは、板材を数枚、たとえば床板の場合には６枚を１束として結束し、ダンボール紙などの梱包材で覆ったもので、少なくとも束の長手方向に沿う側面を覆う。ダンボール紙を箱型に形成し、この束をこの箱に収納して全体を覆い保護しても良い。
【００１３】
列は、上記ユニットを複数、たとえば１０ユニットを上下方向に積み上げたものである。この列を長手方向と直交する方向（幅方向）に並べて複数列とするブロックを形成する。
【００１４】
梱包材は、束の側面に対応する部分に凸起を有する。梱包材の材質は、ダンボール紙、厚手の硬質紙などで吸湿性を有するものである。
【００１５】
梱包材の凸起の形状、大きさは、隣同士のユニットまたは列の間に周囲空気の出入りが可能な空間が形成され、かつ互いに位置ずれしたときに、凸起の先端同士の接触が維持されれば特に限定されない。凸起の形状は、たとえば円柱状、円錐台状、角柱状、多角柱状、その他の異形断面の柱状、あるいは断面が台形状で平面形状が細長線状、曲線状などでも良い。凸起の先端は平坦であると良い。凸起の先端が平坦であることにより、隣同士のユニットまたは列が互いに位置ずれしたときに、凸起の先端同士の接触が維持されやすい。
【００１６】
凸起の設けられる位置と数は、周囲の空気の出入りが可能な空間を形成することができれば、特に限定されないが、隣同士のユニットを、その側面を合せたときに、常にどれかの凸起の先端同士が接しているように決定される。このため、ユニットの長手方向に沿って凸起がラップ（重複）していると良い。さらに、上下方向の位置において上の凸起と下の凸起の間の距離が凸起の上下方向高さより小さいと良い。また、凸起は、ユニットの長手方向に沿って規則的または不規則的に適宜の位置に、また上下方向に対しては適宜の位置に複数設けられる。
【００１７】
凸起の高さは、隣同士の一方のユニットの凸起先端と他方のユニットの凸起先端とが当接することによる隣同士のユニット（または列同士）の間の距離が３ｍｍ以上となるように設定される。したがって凸起の高さは、ユニット同士の間の距離の二分の一の１．５ｍｍ以上となるようにする。凸起の高さが１．５ｍｍ未満の場合は、ユニット同士の間の距離が小さすぎ、周囲の空気の出入りが不十分となり、板材の幅方向両側における含水率に相違を来たし反りの原因となる。
【００１８】
板材の幅方向における反りは、板材の製造された当初の含水率が低い状態では、梱包材の外側側面が周囲空気に含まれている水分を吸い込むので、板材の外側の含水率（平衡含水率）は内側の含水率に比べ高くなる。板材の外側の含水率が内側の含水率に比べ高くなると、板材はその外方に円弧状に凸となるように反る。
【００１９】
反対に、板材の製造された当初の含水率が高い状態では、板材の外側の水分が梱包材の外側側面に吸収され、さらにこの水分は梱包材の外側側面から周囲空気に放出される。これにより、板材の外側の含水率が内側の含水率よりも低くなるので、板材はその内方に円弧状に凹むように反る。
【発明の効果】
【００２０】
本発明によれば、どの列の板材も周囲空気の影響を略均等に受けるので、板材自体がその幅方向に反ることがなくなる。
【発明を実施するための最良の形態】
【００２１】
以下、本発明に係る板材の保管運搬方法の最良の形態を図面に基づいて詳細に説明する。なお、図１〜５において、同一または同等部分には同一符号を付けて示す。また、各図において、ブロックの下に敷く幅木またはパレットは省略されている。
【実施例１】
【００２２】
図１は、本発明に係る板材の保管運搬方法の一実施例を示し、（Ａ）は正面図、（Ｂ）は（Ａ）の平面図である。図２は、図１に示した実施例のユニットを示し、（Ａ）は正面図、（Ｂ）は（Ａ）の平面図である。図３は、図２（Ａ）におけるａ−ａ線断面図である。この板材の保管運搬方法は、住宅や一般建物などの床板、壁板、天井板など板材の保管、運搬、輸送または取り扱い時の方法を示す。板材は、木質系材料で、広葉樹や針葉樹の合板または集成材、単板積層板、パーティクルボード、木質繊維板（ＭＤＦなど）などである。板材が床板の場合、その大きさは、たとえば幅１００〜３００ｍｍ×長さ９００〜１８１８ｍｍ×厚み４〜１５ｍｍ程度である。
【００２３】
図２に示すように、ユニット８においてダンボール紙２４に設けられた凸起２６は、ユニット８の側面に位置し、その長手方向に沿って規則的に並んでおり、ユニット８を隣接させて、その側面を合せたときに常にどれかの凸起２６の先端同士が接するように配置される。この図２に示した凸起２６は、ユニット８の長手方向１８に沿って１直線に並んだ３つ１組の凸起２６が、上下２段に分かれ、かつ千鳥状に規則的に並んでいる。さらに、上の段の凸起２６と下の段の凸起２６が一部ラップしている。
【００２４】
図３に示すように、ユニット８は、板材６枚を１組として積み重ねられた束１０と、この束１０を覆うダンボール紙（梱包材）２４とで形成される。板材の束１０は、長手方向（図１  符号１８）が同じ向きに揃えられた６枚を上下方向に積み重ねられてダンボール紙２４で形成された箱に収納され全体が保護されている。ダンボール紙２４は、束の側面１２に対応する部分に外方に膨らむ凸起２６を有する。なお、ダンボール紙は吸湿性を有するものである。また、束１０は、ダンボール紙２４により部分的に覆われても良く、たとえば束１０の長手方向に沿う側面１２とその角が覆われても良い。
【００２５】
凸起２６の形状、大きさは、周囲空気の出入りが可能であれば特に限定されないが、隣同士のユニット８が互いに位置的にずれても凸起の先端２８同士の接触が維持されることが好ましい。この実施例１では凸起２６の形状は円錐台状で凸起の先端２８は平坦である。さらに、上の段の凸起２６と下の段の凸起２６の間の距離は凸起２６の上下方向高さ（または幅）より小さく形成される。凸起２６の高さｈは、一方のユニットの凸起先端２８と他方のユニットの凸起先端２８とが当接することによって形成されるユニット同士の間の距離（２×ｈ）が３ｍｍ以上になるように設定される。したがって凸起の高さｈは、ユニット８同士の間の距離の二分の一の１．５ｍｍ以上となるようにする。
【００２６】
図１に示すように、ユニット８は、長手方向の両端寄りと中間の２箇所の合計４箇所でポリプロピレンなどの合成樹脂製のバンド１４により結束されている。列３は、上記ユニット８を複数、たとえば１０ユニットを上下方向に積み上げたものである。この列３を長手方向と直交する幅方向２０に３列並べてブロック１を形成する。列３同士を隣接させたときに、凸起２６の先端同士が当接し、列と列の間に周囲空気の出入りが可能な空間３０が形成される。
【００２７】
列３は、ユニット８を上下方向に１０段積み上げたものであるが、この段数に限定されない。また、列３の数は、３列に限らず２列、または４列以上でも良い。ブロック１は、その長手方向１８の前寄りと後寄りの２箇所でポリプロピレンなどの合成樹脂製のバンド３２により一つに括られる。
【００２８】
次に、上記実施例１の作用について説明する。図１において、ユニットの束を覆うダンボール紙２４は、板材の束の長手方向に沿う側面を覆うとともに、この側面に対応する部分に外方に膨らむ凸起２６を有するので、ユニット８同士を隣接させて平行に並べるとき、ダンボール紙の凸起２６の先端同士が当接する。
【００２９】
ダンボール紙の凸起２６の先端同士が当接することにより、列３同士の間に空間３０が形成される。この空間３０によって周囲空気の出入りが可能であるので、各ユニット８（または各列３）の側面は周囲空気に略均等に触れる。各ユニット８の側面が周囲空気に略均等に触れると、各ユニット８の側面に周囲空気から水分が侵入、または各ユニット８の側面から周囲空気に水分が放出される。したがって、板材の長手方向に沿う両木口にユニット８の側面を介して周囲空気から水分が侵入、または板材の両木口から水分が放出され、板材の幅方向２０左右の含水率は略等しくなる。このため板材は、幅方向２０のどちらの側にも反ることがなくなる。
【００３０】
さらに、凸起２６の先端が平坦であることにより、隣同士のユニット８が互いに位置ずれしたときに、凸起２６の先端同士の接触が維持されやすい。また、凸起２６の高さｈが１．５ｍｍ以上とすることにより、ユニット８同士（または列３同士）の間の距離が３ｍｍ以上となり、周囲空気の出入りが可能となるので、板材の両側における含水率が略等しくなり反りが発生しない。
【実施例２】
【００３１】
図４は、本発明に係る板材の保管運搬方法の別の実施例におけるユニットを示し、（Ａ）は正面図、（Ｂ）は（Ａ）の平面図である。図５は、図４（Ａ）におけるｂ−ｂ線断面図である。実施例２のユニット８において、そのダンボール紙２４の側面に形成された凸起２６は、細長状で長手方向１８に沿って所定間隔で一直線状に並び、かつ上下２段に、かつ千鳥状規則的に配置される。さらに、上の段の凸起２６と下の段の凸起２６は、長手方向１８に対してラップするように形成される。そして、凸起２６の上下方向の高さ寸法を比較的大きく形成しておくと良い。また、凸起２６は、その先端２８が平坦である。凸起２６の高さｈは、１．５ｍｍ以上となるようし隣同士のユニットの間の距離が３ｍｍ以上となるように設定される。
【００３２】
図５に示すように、実施例２のユニット８についても、板材６枚を１組として積み重ねられた束１０と、この束１０を覆うダンボール紙（梱包材）２４とで形成される。板材の束１０は、長手方向（図４  符号１８）が同じ向きに揃えられた６枚を上下方向に積み重ねられてダンボール紙２４の箱に収納され全体が保護されている。ダンボール紙２４は、束の側面１２に対応する部分に外方に膨らむ凸起２６を有する。なお、ダンボール紙は吸湿性を有するものである。また、束１０は、ダンボール紙２４により部分的に覆われても良く、たとえば束１０の長手方向に沿う側面１２とその角を覆っても良い。
【００３３】
実施例２のユニット８は、その側面形状が単純化され、かつ形成されやすい。上の段の凸起２６と下の段の凸起２６がラップしているので二つのユニット８の側面が合せられたときに、相互に長手方向の位置ずれが生じても隣同士のユニット８を常にどれかの凸起２６の先端同士が接するようにすることができる。また凸起２６の上下方向の高さ（または幅）を大きくすることにより上下方向の位置ずれに対してはずれにくくなる。さらに、隣接するユニット同士の間に周囲空気の出入りが可能な空間が形成され、特にユニットの長手方向の通気が良好になる。実施例２におけるその他の構造と作用は、実施例１の場合と同じであるので、その説明を省略する。
【００３４】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００３５】
本発明の板材の保管運搬方法は、住宅や一般建物などの床板、壁板、天井板などの板材の保管、運搬その他の取り扱いに利用できる。
【図面の簡単な説明】
【００３６】
【図１】本発明に係る板材の保管運搬方法の一実施例を示し、（Ａ）は正面図、（Ｂ）は（Ａ）の平面図である。
【図２】図１に示した実施例のユニットを示し、（Ａ）は正面図、（Ｂ）は（Ａ）の平面図である。
【図３】図２（Ａ）におけるａ−ａ線断面図である。
【図４】本発明に係る板材の保管運搬方法の別の実施例におけるユニットを示し、（Ａ）は正面図、（Ｂ）は（Ａ）の平面図である。
【図５】図４（Ａ）におけるｂ−ｂ線断面図である。
【図６】従来技術に係る板材の保管運搬方法の一例を示す斜視図である。
【図７】図６において、板材が幅方向に反った状態を示す説明図である。
【符号の説明】
【００３７】
１  ブロック
３  列
８  ユニット
１０  束
１２  側面
１６  板材
１８  長手方向
２０  幅方向（長手方向と直交する方向）
２２  上下方向
２４  ダンボール紙（梱包材）
２６  凸起
２８  先端
３０  空間
【図１】
2005145520.tif 000003
【図２】
2005145520.tif 000004
【図３】
2005145520.tif 000005
【図４】
2005145520.tif 000006
【図５】
2005145520.tif 000007
【図６】
2005145520.tif 000008
【図７】
2005145520.tif 000009